(57)【要約】      （修正有）【課題】被支持物の底部の形状が異なることにより、その底部の支持位置が異なる場合であっても、その支持位置に応じて精度良く受け材を配置して、被支持物を安定して支持することができる支持部材を提供する。【解決手段】被支持物の底部を受ける複数の受け材２１ａ〜２１ｊと受け材２１ａ〜２１ｊを支持する基台３０とを少なくとも備えた支持部材１Ａである。支持部材１Ａの基台３０には、被支持物の底部の形状に応じて受け材２１ａ〜２１ｊの受け位置が選択され、選択され受け位置に受け材２１ａ〜２１ｊを位置決めするための複数のガイド部３１ａ〜３１ｉが形成されている。【選択図】図１
2011189963.tif 000002
【特許請求の範囲】
【請求項１】
被支持物の底部を受ける複数の受け材と該受け材を支持する基台とを少なくとも備えた支持部材であって、
前記基台には、前記被支持物の底部の形状に応じて前記受け材の受け位置が選択され、該選択された受け位置に前記受け材を位置決めするための複数のガイド部が形成されていることを特徴とする支持部材。
【請求項２】
前記ガイド部は、前記受け材と嵌合する嵌合溝又は嵌合孔であることを特徴とする請求項１に記載の支持部材。
【請求項３】
前記ガイド部は、前記基台を貫通して形成されていることを特徴とする請求項１または２に記載の支持部材。
【請求項４】
前記受け材は、前記基台の上面から突出していることを特徴とする請求項１〜３のいずれかに記載の支持部材。
【請求項５】
前記受け材は、前記ガイド部に接着剤で固着されていることを特徴とする請求項１〜４のいずれかに記載の支持部材。
【請求項６】
前記受け材は、木質系材料からなり、前記基台は、発泡樹脂からなることを特徴とする請求項１〜５のいずれかに記載の支持部材。
【請求項７】
被支持物の底部を受ける複数の受け材と該受け材を支持する基台とを少なくとも備えた支持部材に用いるための基台であって、
前記基台には、前記被支持物の底部の形状に応じて前記受け材の位置決めを選択させるための複数のガイド部が形成されていることを特徴とする支持部材用の基台。
【請求項８】
請求項７に記載の支持部材用の基台と、該基台の複数のガイド部に配置される複数の受け材とを少なくとも備えた、支持部材を組み立てるための組み立てユニット。
【請求項９】
被支持物の底部を受ける複数の受け材と該受け材を支持する基台とを少なくとも用いて、被支持物を支持する方法であって、
前記被支持物の底部の形状に応じて、前記基台に形成された複数のガイド部から前記受け材の受け位置となるガイド部を選択し、該選択したガイド部に前記受け材を配置する工程と、
該配置された受け材が前記被支持物の荷重を受けるように、前記被支持物を前記受け材に載置する工程と、を少なくとも含むことを特徴とする被支持物の支持方法。
【請求項１０】
前記受け材を配置する際に、前記受け材を前記ガイド部に接着剤で固着することを特徴とする請求項９に記載の被支持物の支持方法。
【発明の詳細な説明】
【技術分野】
【０００１】
本発明は、被支持物の底部を受け材で受けることにより被支持物を支持するための支持部材であって、支持位置の異なる複数の被支持物の荷重を好適に受けることができる支持部材に関する。
【背景技術】
【０００２】
従来から、動力機器や精密機器等の重量物を被支持物として支持する際には、その底部を含む全体形状が複雑であるため、支持部材は、被支持物の底部を部分的に支持する構造となっている。このような支持部材として、図８に示すような木製の支持部材８０が一般的に利用されている。
【０００３】
支持部材８０は、被支持物Ｗ１を受ける複数の受け材８５と、受け材８５を支持する基台８１を備えている。基台８１は、木製の基材８２を備えており、基材８２の上部に、複数の板材８３が、所定の間隔をあけて配置されている。各受け材８５は、端面８５ａで被支持物Ｗ１の底部ｂ１を支承することができる位置に立設されている。さらに、各受け材８５は、木製の梁材８４によりサポートされている。
【０００４】
また、別の態様として、被支持物としてエンジンを支持する支持部材が提案されている。この支持部材は、エンジンを構成する部品の形状に応じて成形された、支持枠、枠柱ブロック、支持筒、及び支持ブロックの複数の受け材からなり、各受け材は、底面パッド（基台）の上において、各構成部品に対応する位置に配置されている（例えば、特許文献１参照）。
【先行技術文献】
【特許文献】
【０００５】
【特許文献１】実開平５−８９２９０号公報
【発明の概要】
【発明が解決しようとする課題】
【０００６】
ところで、動力機器や精密機器等の重量物（被支持物）は、被支持物の仕様ごとに、被支持物を構成する部品の大きさ、位置が異なっていることが多く、付属する部品も異なる。このような結果、被支持物の底部の支持位置は、たとえ同じ種類の機器であっても異なる場合が多い。
【０００７】
しかしながら、図８に示す支持部材や、特許文献１に示す支持部材は、被支持物の形状に合わせて作製しているため、別の形状の被支持物を支持する場合には、その底部の支持位置が僅かに異なることもあり、被支持物の形状に合わせて再度製作しなければならなかった。
【０００８】
さらに、図８に示す支持部材は、木材による組み立てにより製作されるが、梁材８４が受け材８５をサポートするように受け材８５と梁材８４とを加工して、基台８１に取り付ける作業は煩雑である。そして、これらの受け材８５を適切な位置に精度良く配置されない場合、被支持物の支持に支障をきたすことも多々あった。
【０００９】
本発明は、このような点を鑑みてなされたものであり、その目的とするところは、被支持物の底部の形状が異なることにより、その底部の支持位置が異なる場合であっても、その支持位置に応じて精度良く受け材を配置して、被支持物を安定して支持することができる支持部材を提供することにある。
【課題を解決するための手段】
【００１０】
上記課題を解決すべく、本発明に係る支持部材は、被支持物の底部を受ける複数の受け材と該受け材を支持する基台とを少なくとも備えた支持部材であって、前記基台には、前記被支持物の底部の形状に応じて前記受け材の受け位置が選択され、該選択された受け位置に前記受け材を位置決めするための複数のガイド部が形成されていることを特徴とするものである。
【００１１】
本発明によれば、被支持物の底部の形状に応じて、基台に形成された複数のガイド部から受け材の受け位置となるガイド部を選択し、選択したガイド部に各受け材を案内（挿入）する。これにより、被支持物の底部の形状に応じた受け位置に、受け材を位置決めすることができる。そして、位置決めされた受け材が被支持物の荷重を受けるように、被支持物を受け材に載置し、被支持物を支持することができる。
【００１２】
さらに、前述した被支持物とは底部の形状が異なり、支持位置も異なる別の被支持物を支持する際には、複数のガイド部から被支持物の形状に応じて受け位置を選択し、選択したガイド部に受け材を案内（挿入）することができる。これにより、底部の形状が異なる（受け位置が異なる）被支持物であっても、支持部材に載置することができる。
【００１３】
このようにして、複数種の形状の被支持物であっても、各被支持物の形状に合わせた支持部材を新たに製造しなくとも、少なくとも１つの基台を兼用して支持部材を製造することができるので、支持部材の製造コストを下げることができる。さらに、ガイド部の位置精度を上げて基台を製造すれば、安価かつ簡単に、受け位置の精度の良い支持部材を得ることができる。
【００１４】
前記ガイド部は、受け材を案内して位置決めすることができるのであれば、ガイド部の大きさ及び形状は特に限定されるものではないが、より好ましくは、前記ガイド部は、受け材を嵌合する嵌合溝又は嵌合孔である。本発明によれば、嵌合溝または嵌合孔を設けることにより、受け材をガイド部に案内して、受け材を嵌合させることができるので、受け材を安定して位置決めすることができる。
【００１５】
さらに、前記ガイド部は、前記基台を貫通して形成されていることがより好ましい。ガイド部を基台に貫通させることにより、基台の下方に搬送台等の支持台を設ければ、受け材を介して支持台で直接的に被支持物の荷重を受けるので、被支持物を安定して支持することができる。
【００１６】
また、より好ましくは、前記受け材は、前記基台の上面から突出している。本発明によれば、基台の上面から受け材を突出することにより、受け材の端部で被支持物を直接的に受けることができる。また、被支持物を載置時に、受け材の上端部を容易に確認することができるので、作業性を向上させることができる。さらに、基台に発泡樹脂を用いた場合、被支持物と基台との接触を抑えることができるので、発泡樹脂の削れを抑制することができる。
【００１７】
受け材をガイド部に案内して位置決めし、被支持物を安定して支持することができるのであれば、上述したように、例えば、受け材はガイド部に嵌合するのみであってもよいが、より好ましくは、前記記受け材は、前記ガイド部に接着剤で固着されている。これにより、受け材を安定して基台に配置することができるので、被支持物を安定して支持することができる。基台に発泡樹脂を用いた場合には、接着剤は、ローメルト接着剤が好ましい。
【００１８】
前述した受け材及び基台の材質は、金属材料、樹脂材料、木材系材料等から成形されていてもよく、被支持物を支持することができる強度を保つことができるのであれば、特にその材質は限定されるものではない。
【００１９】
しかしながら、より好ましくは、前記受け材は、木質系材料からなり、前記基台は、発泡樹脂からなる。本発明によれば、受け材を木質系材料にすることにより、被支持物に傷をつけることなく、被支持物を支持することができる。さらに、基台を発泡樹脂にすることにより、安価に基台を製造することができ、さらには支持部材の軽量化を図ることができる。
【００２０】
なお、基台の材料となる発泡樹脂は、ポリスチレン系樹脂、ポリオレフィン系樹脂の合成樹脂や、ウレタン、ＮＢＲ等の合成ゴムなどを挙げることができ、被支持物の荷重の緩衝材として作用し、発泡剤を用いて所望の発泡倍率に発泡させることができるものであれば、これらの樹脂は特に限定されるものではない。
【００２１】
さらに、本発明として、上述した支持部材用の基台、及びこれに取り付けられる複数の受け材を備えた、支持部材を組み立てるための組み立てユニットをも開示する。本発明に係る支持部材用の基台は、被支持物の底部を受ける複数の受け材と該受け材を支持する基台とを少なくとも備えた支持部材に用いる基台であって、前記基台には、前記被支持物の底部の形状に応じて前記受け材の位置決めを選択させるための複数のガイド部が形成されていることを特徴とするものである。また、本発明に係る組み立てユニットは、支持部材用の基台と、該基台の複数のガイド部に配置される複数の受け材とを少なくとも備えている。
【００２２】
本発明によれば、支持部材を組み立てる前の支持部材の部品として、別体に基台及び受け材を備えるので、必要に応じて支持部材に組み立てて、製造することができる。また、支持部材が分解した状態で保管・搬送することができるので、支持部材そのものを保管・搬送するよりも、小スペースで保管・搬送することができる。
【００２３】
さらに、本発明として、被支持物を支持するに好適な支持方法をも開示する。本発明に係る被支持物の支持方法は、被支持物の底部を受ける複数の受け材と、該受け材を支持する基台とを少なくとも用いて、被支持物を支持する方法であって、前記被支持物の底部の形状に応じて、前記基台に形成された複数のガイド部から前記受け材の受け位置となるガイド部を選択し、該選択したガイド部に前記受け材を配置する工程と、該配置された受け材が前記被支持物の荷重を受けるように、前記被支持物を前記受け材に載置する工程と、を少なくとも含むことを特徴とする。
【００２４】
本発明によれば、受け材の配置工程において、複数のガイド部から被支持物の底部の形状に応じて、受け材を案内して位置するので、少なくとも１つの基台を兼用して、安価に、異なる種類の被支持物を支持することができる。
【００２５】
さらに、前記受け材を配置する際に、前記受け材を前記ガイド部に接着剤で固着することがより好ましく、ガイド部は、前記受け材に嵌合する嵌合溝または嵌合孔であることがさらにより好ましい。本発明によれば、接着剤を用いて、受け材を基台に安定して配置することができる。さらに、嵌合溝または嵌合孔を用いることにより、受け材の位置を安定させながら、接着剤の乾燥（固着）を行うことができる。
【発明の効果】
【００２６】
本発明によれば、被支持物の底部の形状が異なることにより、その底部の支持位置が異なる複数種の被支持物に対して、支持部材の少なくとも一部を兼用して安価に被支持物を安定して支持することができる。
【図面の簡単な説明】
【００２７】
【図１】本発明の第１実施形態に係る支持部材を説明するための図であり、（ａ）は、支持部材の模式的斜視図であり、（ｂ）は、（ａ）のＡ−Ａ矢視断面図。
【図２】図１に示す支持部材用の基台の模式的斜視図。
【図３】図１に示す支持部材を用いて被支持物の支持を説明するための図。
【図４】図１に示す基台を兼用して、図３に示す被支持物とは異なる被支持物の支持を説明するための図。
【図５】第１実施形態に係る基台の変形例を説明するための図であり、（ａ）は、基台の模式的斜視図であり、（ｂ）は、図１のＡ−Ａ矢視断面図に相当する図。
【図６】本発明の第２実施形態に係る支持部材を説明するための図であり、（ａ）は、支持部材の模式的斜視図であり、（ｂ）は、（ａ）のＢ−Ｂ矢視断面図であり、（ｃ）は、（ａ）に示す基台の模式的斜視図。
【図７】本発明の第３実施形態に係る支持部材を説明するための図であり、（ａ）は、支持部材の模式的斜視図であり、（ｂ）は、（ａ）のＣ−Ｃ矢視断面図であり、（ｃ）は、（ａ）に示す基台の模式的斜視図。
【図８】従来の支持部材の模式的斜視図。
【発明を実施するための形態】
【００２８】
以下に、図面に基づき、本発明に係る３つの実施形態を説明する。図１は、本発明の第１実施形態に係る支持部材を説明するための図であり、（ａ）は、支持部材の模式的斜視図であり、（ｂ）は、（ａ）のＡ−Ａ矢視断面図である。図２は、図１に示す支持部材用の基台の模式的斜視図である。
【００２９】
図１，２に示すように、本実施形態に係る支持部材１Ａは、エンジンなどの重量物である被支持物を支持するものである。支持部材１Ａは、被支持物Ｗ１の底部ｂ１を受ける６本の受け材２１ａ〜２１ｆと、これらの受け材２１ａ〜２１ｆを支持する基台３０と、を少なくとも備えている。
【００３０】
基台３０は、発泡樹脂からなり、受け材を案内（挿入）して配置することができる複数のガイド部が形成されている。本実施形態では、ガイド部として、被支持物Ｗ１の底部ｂ１の形状に応じて受け材の受け位置が選択され、選択された受け位置に受け材を位置決めすることができる９つの嵌合溝３１ａ〜３１ｉが形成されている（図２参照）。
【００３１】
各嵌合溝３１ａ〜３１ｉは、基台３０の中央において貫通した開口部３３の内側面３４に沿って形成されており、これらの嵌合溝３１ａ〜３１ｉは、基台３０の上面から底面に向かって貫通している。ここで、被支持物Ｗ１を支持する場合には、９つの嵌合溝３１ａ〜３１ｉのうち嵌合溝３１ａ，３１ｂ，３１ｅ，３１ｆ，３１ｇ，３１ｉが選択される。
【００３２】
各受け材２１ａ〜２１ｆは、被支持物の底部に合わせた形状に製作された木製の支柱であり、選択した嵌合溝３１ａ，３１ｂ，３１ｅ，３１ｆ，３１ｇ，３１ｉに、案内して配置される。これにより、各受け材２１ａ〜２１ｆは、受け位置が位置決めされた状態で、嵌合溝に嵌合する。そして、これらの各受け材２１ａ〜２１ｆは、接着剤を介して、基台３０に固着されている。これにより、これらの各受け材２１ａ〜２１ｆを安定して固定することができる。
【００３３】
なお、このような基台３０は、任意の発泡樹脂成形体で作ることができるが、熱可塑性樹脂の発泡成形体であることが好ましい。熱可塑性樹脂には、ポリスチレン系樹脂、ポリオレフィン系樹脂（例えばポリプロピレン系樹脂、ポリエチレン系樹脂）、ポリエステル系樹脂（例えば、ポリエチレンテレフタレート、ポリブチレンテレフタレート、ポリエチレンナフタレート）、ポリカーボネート系樹脂、ポリ乳酸系樹脂などが挙げられる。なかでも、ポリスチレンとポリエチレンとを含む複合樹脂を用いることが好ましい。
【００３４】
本実施態様では、例えばＥＰＳ（ビーズ法発泡スチロール）の成形品として金型で製造し、ＥＰＳブロックからＮＣニクロム加工により切り出している。このようにして、各受け材２１ａ〜２１ｆを案内する嵌合溝３１ａ〜３１ｉの加工精度を高め、各受け材２１ａ〜２１ｆを選択した嵌合溝に接着剤を介して固着することができる。さらに、嵌合溝の位置精度を上げて基台を製造すれば、安価かつ簡単に、受け位置の精度の良い支持部材１Ａを得ることができる。また、発泡樹脂を用いることにより、支持部材１Ａの軽量化を図ることもできる。
【００３５】
さらに、各受け材２１ａ〜２１ｆと基台３０との関係は、各受け材２１ａ〜２１ｆを案内して配置したときに、これらが基台３０の上面から突出することができるように構成されている（図１（ｂ）参照）。本実施形態では、基台３０の下方に、被支持物を搬送するための搬送用プレート４０が配置されている。ただし、単に床地面等に被支持物を支持する場合には、この搬送用プレート４０は特に必要としない。
【００３６】
このようして、支持部材１Ａを用いて、具体的には、支持部材１Ａの上方からクレーン等を用いて、各受け材２１ａ〜２１ｆの端部でエンジンなどの被支持物Ｗ１を支持する（図３参照）。具体的には、各受け材２１ａ〜２１ｆは、その上端部において、被支持物Ｗ１の荷重を受け、さらに、下端部において、その荷重は搬送用プレート４０に支持される。さらに、支持された被支持物Ｗ１を、ゴムバンド、専用の金属固定具などを用いて支持部材１Ａに固定し、梱包してもよい。
【００３７】
ここで、図１（ａ）に示す支持部材１Ａは、基台３０と、各受け材２１ａ〜２１ｆとを、組み立てユニットとして準備し、各受け材２１ａ〜２１ｆを、これに対応する基台３０の嵌合溝に案内して配置し、接着剤により接着することで、組み立てることができる。
【００３８】
しかしながら、図４に示す被支持物Ｗ２を、図１（ａ）に示す支持部材１Ａを用いて支持しようとした場合、被支持物Ｗ２の荷重を受けない支持部材１Ａの受け材２１ｃは不要である。さらに、受け材２１ｅ，２１ｆは、被支持物Ｗ２の底部ｂ２のうち突出した部分ｂ３に接触するため、被支持物Ｗ２は、安定して支持部材１Ａに支持させることはできない。
【００３９】
したがって、本実施形態では、被支持物Ｗ１とは底部の形状が異なり、支持位置も異なる被支持物Ｗ２を支持する際には、組み立てユニットとして、基台３０は兼用し、受け材２１ｇ〜２１ｊを準備する。そして、図４に示すように、複数の嵌合溝３１ａ〜３１ｉから、被支持物Ｗ２の形状の応じて受け位置の嵌合溝３１ａ，３１ｃ，３１ｆ，３１ｈを選択し、選択した受け位置の嵌合溝に対応する受け材２１ｇ〜２１ｊを案内して配置し、接着剤で固着する。
【００４０】
このようにして受け材の位置を変更して組み立てた支持部材１Ａ’により、底部の形状が異なる（受け位置が異なる）被支持物Ｗ２であっても、支持部材１Ａ’に載置することができる。なお、ここでは、図１（ａ）に示す受け材２１ａ，２１ｂ，２１ｆと、図４に示す受け材２１ｇ，２１ｈ，２１ｊとは、同じ形状及び材質からなる受け材を使用してもよい。このように、異なる被支持物Ｗ１，Ｗ２を支持する場合であっても、共通の受け材を使用することにより、使用する受け材の種類を減らし、より安価に支持部材を製造することができる。
【００４１】
また、被支持物Ｗ１，Ｗ２の底部ｂ１，ｂ２の形状に応じて、基台３０に形成された嵌合溝３１ａ〜３１ｉから受け材の受け位置となる嵌合溝を選択し、選択した嵌合溝に対応する受け材を案内して配置するだけでよいので、基材３０と受け材２１ａ〜２１ｊとを組み立てユニットとして準備しておけば、被支持物に応じた支持部材を簡単に組み立てることができる。このように、少なくとも１つの基台を兼用して支持部材に組み立てて、これを製造することができるので、支持部材の製造コストを下げることができる。
【００４２】
また、図５（ａ）に示すように、第１実施形態に係る基台の変形例として、基台３０’の中央に形成した開口部を貫通させず、有底としてもよい。これにより、図５（ｂ）に示すように、受け材の下端部に作用する被支持物の荷重を、開口部３３の底面３６で受けることもできる。
【００４３】
図６は、本発明の第２実施形態に係る支持部材を説明するための図であり、（ａ）は、支持部材の模式的斜視図であり、（ｂ）は、（ａ）のＢ−Ｂ矢視断面図であり、（ｃ）は、（ａ）に示す基台の模式的斜視図である。
【００４４】
第２実施形態が、第１実施形態と相違する点は、支持部材の１Ｂ基台の構造である。従って、第１実施形態と同じ機能を有する部分及び部材に関しては、第１実施形態の符号と同一の符号を付し、その詳細な説明は省略する。
【００４５】
図６に示すように、本実施形態に係る支持部材１Ｂの基台５０には、第一実施形態の嵌合溝３１ａ〜３１ｉの代わりに、基台５０を貫通した嵌合孔５１ａ〜５１ｉが形成されている。これらの嵌合孔５１ａ〜５１ｉは、これらに対応する受け位置に配置される第一実施形態に係る受け材２１ａ〜２１ｊを配置することができるようになっている。このような基台５０は、金型成形により製造してもよいが、例えば、ＮＣニクロム加工により３つの部材に切り出して、これらを図６（ｃ）で示す一点鎖線で示す接合面で、接着剤を介して接合して、製造してもよい。
【００４６】
そして、嵌合孔５１ａ〜５１ｉが形成された基台５０と、上述した受け材２１ａ〜２１ｊとを組み立てユニットとして準備し、これらの嵌合孔５１ａ〜５１ｉを選択して、選択した嵌合孔に、これに対応する受け材を配置すれば、第一実施形態と同様に、形状の異なる被支持物Ｗ１，Ｗ２いずれの被支持物であっても、安定して支持することができる。
【００４７】
図７は、本発明の第３実施形態に係る支持部材を説明するための図であり、（ａ）は、支持部材の模式的斜視図であり、（ｂ）は、（ａ）のＣ−Ｃ矢視断面図であり、（ｃ）は、（ａ）に示す基台の模式的斜視図である。
【００４８】
第３実施形態が、第１実施形態と相違する点は、支持部材１Ｃの基台の構造である。従って、第１実施形態と同じ機能を有する部分及び部材に関しては、第１実施形態の符号と同一の符号を付し、その詳細な説明は省略する。
【００４９】
図７に示すように、本実施形態に係る支持部材１Ｃの基台６０には、第一実施形態の嵌合溝３１ａ〜３１ｉの代わりに、基台６０の外側面６４において貫通した嵌合溝６１ａ〜６１ｉが形成されている。これらの嵌合溝６１ａ〜６１ｉは、これらに対応する受け位置に配置される第一実施形態に係る受け材２１ａ〜２１ｊを配置することができるようになっている。
【００５０】
嵌合溝６１ａ〜６１ｉが形成された基台６０と、上述した受け材２１ａ〜２１ｊとを組み立てユニットとして準備し、これらを用いて支持部材１Ｃを製造することにより、第一実施形態と同様に、形状の異なる被支持物Ｗ１，Ｗ２いずれの被支持物であっても、安定して支持することができる。
【００５１】
以上、本発明の３つの実施形態について詳述したが、本発明は、前記の実施形態に限定されるものではなく、特許請求の範囲に記載された本発明の精神を逸脱しない範囲で、種々の設計変更を行うことができるものである。例えば、第１〜３の実施形態では、異なる２つの形状の被支持物Ｗ１，Ｗ２を支持したが、これらの２つの場合に限らず、さらに異なる形状のその他の被支持物であっても、基台のガイド部を選択して、選択したガイド部に対応する受け材を、ガイド部に案内して位置決めすることにより、その他被支持物を支持してもよい。
【産業上の利用可能性】
【００５２】
本発明に係る支持部材は、自動車用エンジンや小型農耕用エンジン、トランスミッションあるいはその構成部品、ディファレンシャルあるいはその構成部品、回転電機などの重量物の支持に好適に用いることができる。
【符号の説明】
【００５３】
１Ａ〜１Ｃ：支持部材、２１ａ〜２１ｊ：受け材、３０：基台、３１ａ〜３０ｉ：嵌合溝、５０：基台、５１ａ〜５１ｉ：嵌合孔、６０：基台、６１ａ〜６１ｉ：嵌合溝
【図１】
2011189963.tif 000003
【図２】
2011189963.tif 000004
【図３】
2011189963.tif 000005
【図４】
2011189963.tif 000006
【図５】
2011189963.tif 000007
【図６】
2011189963.tif 000008
【図７】
2011189963.tif 000009
【図８】
2011189963.tif 000010